(57)【要約】【課題】本考案は、特定部位の刺激に使用されてきた酸化チタン粒状体を、全身のツボを手軽に指圧できる棒状の指圧器具に適用して酸化チタン粒状体が放射する多大な微弱磁気波動、広い波長領域の遠赤外線によってツボを刺激し、棒状体の押圧の効果と相まって広い部位のコリを解消できる長尺棒状指圧具を提供しようとするものである。【解決方法】面取りした矩形断面を有する長尺の木製棒状体の外周面に、半導体膜を表面に形成された酸化チタンの還元焼結粒状体を複数個貼設もしくは嵌設し、かつ酸化チタンの還元焼結粒状体を貼設もしくは嵌設した前記棒状体の外周面が、人体の種々の外径部位に適合して指圧できるよう、異なる曲率の複数の凹凸面で構成され、さらに前記棒状体の両端部近傍が、把持部として形成されてなる長尺棒状指圧具による。【選択図】図１
0003161008.tif 000002
【実用新案登録請求の範囲】
【請求項１】
面取りした矩形断面を有する長尺の木製棒状体（１）の外周面（２）に、半導体膜が表面に形成された酸化チタンの還元焼結粒状体（３）を複数個貼設もしくは嵌設してなることを特徴とする長尺棒状指圧具。
【請求項２】
酸化チタンの還元焼結粒状体（３）を貼設もしくは嵌設した前記棒状体（１）の外周面（２）が、人体の種々の外形部位に適合して指圧できるよう、異なる曲率の複数の凹凸面で構成されてなることを特徴とする請求項１に記載の長尺棒状指圧具。
【請求項３】
前記棒状体（１）の両端部近傍が、把持部（４）として形成されてなることを特徴とする請求項１又は２に記載の長尺棒状指圧具。
【請求項４】
前記酸化チタン還元焼結粒状体の表面に形成された半導体薄膜が、シリコン又はゲルマニウムの半導体薄膜であることを特徴とする請求項１〜３のいずれか１項に記載の長尺棒状指圧具。
【考案の詳細な説明】
【技術分野】
【０００１】
本考案は、半導体膜を表面に形成された酸化チタンの還元焼結粒状体（以下酸化チタン粒状体と記す）の健康維持効果を備え、かつ身体の各所に存在するツボをそれぞれ適切に刺激し得る形状とした、使用の容易な長尺棒状指圧具に関する。
【背景技術】
【０００２】
従来から指圧を施し、筋肉のコリや緊張をほぐす器具や装置は、肩たたき棒や青竹踏みなどをはじめ数多く知られている。
例えば、特許第３６２７１１５号公報には、
『［請求項１］板状の本体の少なくとも一方の上面に、上部が円錐状をなす複数の突起を一列に配置されてなり、前記突起は、中央に一対と、両端にそれぞれ一個設けられ、一端に設けられた突起は、他の突起より小径の円錐状をなすことを特徴とする指圧器。
［請求項２］前記両端を除く位置の複数の突起を他の突起より高くしたことを特徴とする請求項１に記載の指圧器。』
などとした指圧器が開示されている。
【０００３】
また、棒状の指圧器としては、特開２００４−３３６８７号公報には、
『径３センチ長さ３０センチ位の細長い棒状のもので、中央上部は丸い尖りのふたつの突起（１）中央下部は丸い尖りのひとつの突起（２）左右両端はグリップ部分（４）上部は丸みを持ち、下部は（５）は置けて安定する様平らで、上下共グリップ部分の中央は握りやすいよう少しの曲面を持ち、両先端部（３）は丸く尖っていて、コンパクトな両手で握って行う指圧器。』
が開示されている。
【０００４】
さらに実用新案第３０１４６４２号公報には、
『［請求項１］使用するときに人体のつぼに当てる箇所に指圧用突起を持つ指圧器において、全体もしくは一部を檜木製とし且つ指圧用突起を角錐形状としたことを特徴とする指圧器。
［請求項２］指圧用突起を持つ部分が軸を中心として回転するロール形状とされたことを特徴とする請求項１記載の指圧器。
［請求項３］全表面に角錐形状指圧突起を持ち全体の大きさを手の平の中に入るサイズとしたことを特徴とする請求項１記載の指圧器』
が開示されている。
これらはいずれも、ツボを刺激するのに突起を用いている。
【０００５】
一方、酸化チタン粒状体を用いたものとしては、特開２００５−０１３６６４号公報に『ビューティーローラーの皮膚接触面の間の稜線を外側に張り出させるか、ローラーの皮膚接触面を全部又は交互に内側に湾曲させて、刺激効果を高めた新型ビューティーローラーに半導体被覆酸化チタンを装着し、ビューティーローラーの脂肪燃焼効果（ローリングによりゼイ肉部が搾り出され、自然に痩せる）に半導体被覆酸化チタンの健康効果（体内電位の正常化、血行・自然治癒力を高め、こり・痛みの軽減、α波の増加）の二つの効果を複合した、新しい健康器具を提供する発明』
が開示され、また、実用新案第３０７３７８４号に
『左右のこめかみ、頭頂部、その他頭部のツボに相当する部位の帽子の内側に酸化チタンの表面にシリコン半導体被膜を形成した略円錐形の流体を突設してなることを特徴とする帽子』
が開示されているほか、前記酸化チタン粒状体を２個直接肌に貼着する肩こり解消方法が知られている。
【先行技術文献】
【特許文献】
【０００６】
【特許文献１】特許第３６２７１１５号公報
【特許文献２】特開２００４−３３６８７号公報
【特許文献３】実用新案第３０１４６４２号公報
【特許文献４】特開２００５−１３６６４号公報
【特許文献５】実用新案第３０７３７８４号
【考案の概要】
【考案が解決しようとする課題】
【０００７】
本考案は、上記背景技術に鑑みてなされたもので、特定部位のツボを刺激するものとして使用されていた酸化チタン粒状体を、全身のツボを手軽に指圧できる棒状の指圧器具に適用し、前記酸化チタン粒状体が放射する多大な微弱磁気波動、また広範囲な波長領域の遠赤外線によってツボを刺激し、棒状体の押圧の効果と相まって広い部位のコリを解消できる長尺棒状指圧具を提供しようとするものである。
【課題を解決するための手段】
【０００８】
本考案者は、上記課題を下記の手段により解決した。
（１）面取りした矩形断面を有する長尺の木製棒状体の外周面に、半導体膜を表面に形成された酸化チタンの還元焼結粒状体を複数個貼設もしくは嵌設してなることを特徴とする長尺棒状指圧具。
（２）酸化チタンの還元焼結粒状体を貼設もしくは嵌設した前記棒状体の外周面が、人体の種々の外形部位に適合して指圧できるよう、異なる曲率の複数の凹凸面で構成されてなることを特徴とする前項（１）に記載の指圧具。
（３）前記棒状体の両端部近傍が、把持部として形成されてなることを特徴とする前項（１）又は（２）に記載の長尺棒状指圧具。
（４）前記酸化チタン還元焼結粒状体の表面に形成された半導体薄膜が、シリコン又はゲルマニウムの半導体薄膜であることを特徴とする前項（１）〜（３）のいずれか１項に記載の長尺棒状指圧具。
【考案の効果】
【０００９】
本考案の長尺棒状指圧具によって、下記の効果が発揮される。
〈１〉本長尺棒状指圧具が、面取りした矩形断面を有する長尺の木製棒状体の外周面に、半導体膜を表面に形成された酸化チタンの還元焼結粒状体を複数個貼設もしくは嵌設されているので、指圧部位周辺に前記酸化チタンの還元焼結粒状体が放射する微弱磁気波動、また広範囲な波長領域の遠赤外線が作用し、長尺棒状体の押圧による効果と相まって、身体のコリを効果的に解消することができる。
〈２〉酸化チタンの還元焼結粒状体を貼設もしくは嵌設した前記棒状体の外周面面が、人体の種々の外形部位に適合して指圧できるよう、異なる曲率の複数の凹凸面で構成されているので、指圧部位に合わせて最も適切な凹凸面部を選択して当接でき、前記〈１〉の効果と相まってよりよいコリ解消作用が期待できる。
〈３〉本長尺棒状指圧具が、木製棒状体の外周面に、半導体膜を表面に形成された酸化チタンの還元焼結粒状体を複数個貼設もしくは嵌設した簡単な構造のものであり、またその両端近傍に把持部が設けられているので、指圧施術者は勿論のこと、被施術者自身でも容易に使用でき、他人によって行ってもらった指圧において感じる物足りなさや痛痒の原因となる力加減も自分自身で調節でき、心地よい指圧が実現できる。
【図面の簡単な説明】
【００１０】
【図１】本考案の長尺棒状指圧具の斜視図
【図２】本考案の長尺棒状指圧具の使用例を示す図（その１）
【図３】本考案の長尺棒状指圧具の使用例を示す図（その２）
【図４】本考案の長尺棒状指圧具の使用例を示す図（その３）
【図５】本考案の長尺棒状指圧具の使用例を示す図（その４）
【図６】本考案の長尺棒状指圧具の使用例を示す図（その５）
【図７】本考案の長尺棒状指圧具の使用例を示す図（その６）
【考案を実施するための形態】
【００１１】
本考案の長尺棒状指圧具を実施するための形態を実施例の図に基づいて説明する。
図１は本考案の長尺棒状指圧具の２つの実施例の斜視図であり、図２〜図７はその使用例を示す図である。図において１は棒状体、２は棒状体の外周面、３は酸化チタン還元焼結粒状体、４は把持部である。
【実施例１】
【００１２】
本考案の長尺棒状指圧具の第１の実施は、図１（ａ）に示すものであって、面取りした矩形断面を有する木製棒状体１の外周面２に、半導体膜を表面に形成された酸化チタンの還元焼結粒状体３が複数個貼設もしくは嵌設され、その酸化チタンの還元焼結粒状体３を貼設もしくは嵌設した前記棒状体１の外周面２が、人体の種々の外形部位に適合して指圧できるように異なる曲率の複数の凹凸面とされ、さらにその凹凸面が、それぞれ適合する指圧部位に当接しやすく、かつ指圧操作が容易に行えるよう配置されたものである。即ち、図１（ａ）に見られるように、棒状体１の中央部は緩やかに湾曲し、したがって外周面２の一方の側は緩やかな曲率の凸面部２ａに、対応する側は緩やかな凹面部２ｂとなっている。そして外周面２の一端部付近には曲率の大きな凸面部２ｃ、２ｄが設けられ、さらに棒状体１の両端部近傍には把持部４が設けられている。
そして前記棒状体１の外周面２の緩やかな曲率の凸面部２ａは、主に腹部にやや強く押し当て、把持部４を両手で持って棒状体１を左右にシーソーのように揺らせながら、前記棒状体の当接位置を少しずつ移動させて強弱の指圧を繰り返し行うのに用いられ、また外周面２の緩やかな曲率の凹面部２ｂは、腹部や脇腹に緩やかに当接して上下させるもみほぐしや、腰回りや首回りの指圧に使用できる。さらに外周面２の左端部付近に設けられた曲率の大きい凸面部２ｃ、２ｄは、首、脊中、ヒップ、足裏など身体各部のツボを効率よく刺激するのに使用される。
本実施例の長尺棒状指圧具は、図２、図３にその一例を示すように指圧施術者が用いるものとして考案したが、その施術方法を理解すれば図４、図５に示すように被施術者自身でも使用可能である。
【実施例２】
【００１３】
本考案の長尺棒状指圧具の第２の実施例は、一般家庭で簡便に使用できるよう図１（ｂ）に示すように、棒状体１の形状を左右対称形状としたものである。即ち、緩やかに湾曲した棒状体１の凸面となる外周面２の中央部に曲率の大きい凸面部２ｅを近接して２箇所に設け、また前記緩やかに湾曲した棒状体１の凹面となる外周面２に曲率のやや大きい凸面部２ｆを一つ設けている。
この第２の実施例の長尺棒状指圧具の使用方法は、実施例１の長尺棒状指圧具と同様に凸面部でツボやコリの部分を押圧刺激し、凹面部でコリの部分をもみほぐすのに使用される。図６、図７に本実施例の長尺棒状指圧具の使用例を示した。
【００１４】
本考案の長尺棒状指圧具は、被施術者自身が首の後ろや腰部を指圧することを考慮すれば、その長さは人体の肩幅か、それより若干長いことが好ましい。
【符号の説明】
【００１５】
１：棒状体
２：外周面
３：酸化チタン還元焼結粒状体
４：把持部
【図１】
0003161008.tif 000003
【図２】
0003161008.tif 000004
【図３】
0003161008.tif 000005
【図４】
0003161008.tif 000006
【図５】
0003161008.tif 000007
【図６】
0003161008.tif 000008
【図７】
0003161008.tif 000009